(57)【要約】【課題】燃料中のアルコール濃度を推定するために用いられるセンサの故障があった場合に、適切な燃料噴射量を設定できエンジンの排気系などのダメージを抑制する内燃機関の制御装置を提供する。【解決手段】内燃機関の制御装置は、車両の状態を示す検出情報を検出する車両状態検出手段が正常に機能しておらず、かつ、内燃機関から排出される排気の状態を検出し、排気空燃比のフィードバック制御に検出結果が用いられる排気状態検出手段が正常に機能していると機能状態判断手段５５により判断された場合に、内燃機関の吸入空気量をフィードバック制御手段５１がフィードバック制御を行う作動領域になるように吸入空気量を制限するために目標有効圧を設定する目標有効圧設定手段５４を備える。【選択図】図２
2010133396.tif 000002
【特許請求の範囲】
【請求項１】
車両の内燃機関から排出される排気の状態を示す排気状態検出情報を検出する排気状態検出手段と、
この排気状態検出情報に基づいて排気空燃比を目標空燃比に近づけるようにフィードバック制御を行うフィードバック制御手段と、
燃料中のアルコール濃度を推定するために必要な車両状態検出情報を検出する、前記排気状態検出手段とは別の一以上の車両状態検出手段と、
これらの排気状態検出情報及び車両状態検出情報に基づいて前記燃料中の前記アルコール濃度を推定するアルコール濃度推定手段と、
前記排気状態検出手段と前記車両状態検出手段とが正常に機能しているかどうかを判定する機能状態判定手段と、
前記機能状態判定手段により、前記排気状態検出手段が正常に機能していると判定され、かつ、前記車両状態検出手段のうちのいずれか一つ以上が正常に機能していないと判定された場合に、
前記フィードバック制御手段がフィードバック制御を行うフィードバック制御作動領域となるように前記内燃機関の吸入空気量を制限する吸入空気量制御手段と
を備えたことを特徴とする内燃機関の制御装置。
【請求項２】
前記吸入空気量制御手段は、
前記機能状態判定手段により、前記排気状態検出手段が正常に機能していると判定され、かつ、前記車両状態検出手段のうちのいずれか一つ以上が正常に機能していないと判定された場合に、
前記フィードバック制御手段が前記目標空燃比をストイキとするストイキフィードバック制御を行うストイキフィードバック制御作動領域となるように、前記内燃機関の前記吸入空気量を制限することを特徴とする請求項１記載の内燃機関の制御装置。
【請求項３】
前記吸入空気量制御手段は、
前記機能状態判定手段により、前記排気状態検出手段が正常に機能していないと判定された場合には、
前記車両の運転状態が前記ストイキフィードバック制御作動領域となる空気量、又は、同吸気量よりも少ない空気量となるように吸入空気量を制限することを特徴とする請求項１又は２記載の内燃機関の制御装置。
【請求項４】
前記内燃機関の有効圧力値を設定する有効圧力値設定手段を備え、
前記吸入空気量制御手段は、この有効圧力値に基づいて前記内燃機関の吸入空気量を制限することを特徴とする請求項１〜３のいずれか一項に記載の内燃機関の制御装置。
【請求項５】
前記吸入空気量制御手段は、前記内燃機関の吸気系に設けられたスロットルバルブの開度を調整して前記内燃機関の前記吸入空気量を制限するバルブ開度制御手段であることを特徴とする請求項１〜４のいずれか一項に記載の内燃機関の制御装置。
【発明の詳細な説明】
【技術分野】
【０００１】
本発明は、内燃機関の制御装置に関する。
【背景技術】
【０００２】
従来、ガソリンとアルコールの各種組成の混合燃料で走行可能な車両として、いわゆるＦＦＶ(Flexible Fuel Vehicle)が知られている。ＦＦＶは、混合燃料内のアルコール濃度をアルコール濃度センサで検出し、検出したアルコール濃度に応じてエンジンの燃料噴射量等の運転パラメータを制御する。
【０００３】
ところで、コスト低減等の面から、アルコール濃度センサを設けずにＯ２センサ等の既存のセンサの検出値からアルコール濃度を推定する燃料性状推定装置を設けたＦＦＶが知られている（特許文献１参照）。
【特許文献１】特開２００４−２５１１３５号公報（請求項１、段落００２１等）
【発明の開示】
【発明が解決しようとする課題】
【０００４】
上記燃料性状推定装置においては、センサの故障があった場合には、アルコール濃度推定値を４０％に固定してその後の制御を行う。そのため、実際の燃料性状とは異なる燃料性状となっている場合が多い。そうすると、この固定した濃度と実際の燃料濃度とが大きく乖離している場合に、以下のような問題が生じる可能性がある。
【０００５】
すなわち、アルコールはガソリンと比較してエネルギー密度が小さい（約２／３）ため、アルコール混合燃料においてアルコール濃度が高くなればなるほど、より多くの燃料を噴射する必要がある。この場合に、特許文献１のようにアルコール濃度推定値を４０％に固定してしまうと、例えば実際の燃料中のアルコール濃度が７０％である場合は、目標空燃比となるように制御しても実際に必要な燃料量よりも少ない量しか噴射されず、燃料量が不足していることとなる。そして、燃料量が不足すると、燃料の気化熱によって排気系の温度を下げる効果が実現されにくくなるため、排気系が過熱状態に至る可能性があり、その結果、排気管が熱劣化したり、触媒が溶損したりする等の問題が生じるおそれがある。
【０００６】
特に、ドライバの要求する車両の走行状態が、排気空燃比のフィードバック制御作動領域から外れると、フィードバック制御を行わない状態、即ち排気空燃比に基づいて適切な燃料噴射量を設定しない状態となる。この排気空燃比に基づいて適切な燃料噴射量を設定しない状態で、実際の燃料性状とは異なるアルコール濃度推定値に基づいて燃料噴射を行ってしまうと、さらに燃料噴射量が少なくなって排気系の過熱の問題が顕著となることが考えられる。
【０００７】
そこで、本発明の課題は、上記従来技術の問題点を解決することにあり、検出手段の故障があってアルコール濃度を推定できない場合であっても、エンジンの排気系などのダメージを抑制できる内燃機関の制御装置を提供しようとするものである。
【課題を解決するための手段】
【０００８】
本発明の内燃機関の制御装置は、車両の内燃機関から排出される排気の状態を示す排気状態検出情報を検出する排気状態検出手段と、この排気状態検出情報に基づいて排気空燃比を目標空燃比に近づけるようにフィードバック制御を行うフィードバック制御手段と、燃料中のアルコール濃度を推定するために必要な車両状態検出情報を検出する、前記排気状態検出手段とは別の一以上の車両状態検出手段と、これらの排気状態検出情報及び車両状態検出情報に基づいて前記燃料中の前記アルコール濃度を推定するアルコール濃度推定手段と、前記排気状態検出手段と前記車両状態検出手段とが正常に機能しているかどうかを判定する機能状態判定手段と、前記機能状態判定手段により、前記排気状態検出手段が正常に機能していると判定され、かつ、前記車両状態検出手段のうちのいずれか一つ以上が正常に機能していないと判定された場合に、前記フィードバック制御手段がフィードバック制御を行うフィードバック制御作動領域となるように前記内燃機関の吸入空気量を制限する吸入空気量制御手段とを備えたことを特徴とする。
【０００９】
従来、各車両状態検出手段のうちのいずれか一つ以上が正常に機能しておらず、燃料のアルコール濃度が正確に推定できない状況では、上述のように実際の燃料性状とは異なるアルコール濃度推定値に基づいて燃料噴射を行ってしまい、場合によっては排気系統にダメージを与える可能性があった。これに対し、本発明においては、燃料のアルコール濃度が正確に推定できない状況であっても、吸入空気量制御手段で吸入空気量を制限することにより、車両の走行状態をフィードバック制御作動領域に収めて燃料が過小にならない適切な状態の燃料噴射量に設定できる。このように、本発明においては、燃料のアルコール濃度が正確に推定できない状況下で、ドライバの要求する車両の走行状態がフィードバック制御作動領域を外れるものとなっても、吸入空気量をフィードバック制御作動領域になるようにしてフィードバック制御を継続して、排気系の過熱を抑えて排気系へのダメージを抑制することが可能である。
【００１０】
また、前記吸入空気量制御手段の好ましい実施形態としては、前記機能状態判定手段により、前記排気状態検出手段が正常に機能していると判定され、かつ、前記車両状態検出手段のうちのいずれか一つ以上が正常に機能していないと判定された場合に、前記フィードバック制御手段が前記目標空燃比をストイキとするストイキフィードバック制御を行うストイキフィードバック制御作動領域となるように、前記内燃機関の前記吸入空気量を制限することが挙げられる。
【００１１】
ストイキフィードバック制御作動領域となるように吸入空気量を制限することで、より適切に燃料噴射量を設定できる。
【００１２】
また、前記吸入空気量制御手段の好ましい実施形態としては、前記機能状態判定手段により、前記排気状態検出手段が正常に機能していないと判定された場合には、前記車両の運転状態が前記ストイキフィードバック制御作動領域となる空気量、又は、同吸気量よりも少ない空気量となるように吸入空気量を制限することが挙げられる。
【００１３】
排気状態検出手段が正常に機能していない場合には、ストイキフィードバック制御作動領域となる空気量を上限として空気量を制限することができる。
【００１４】
また、前記内燃機関の有効圧力値を設定する有効圧力値設定手段を備え、前記吸入空気量制御手段は、この有効圧力値に基づいて前記内燃機関の吸入空気量を制限することが好ましい。
【００１５】
ここで、有効圧は「図示有効圧」を指す。ストイキのフィードバック領域を規定する条件の「排気系（触媒）温度」は、主にエンジンに吸入された新気重量（＝エンジン出力）と関連があるので、「図示有効圧」をパラメータとすることで、環境条件応じて必要な領域のみに限定した吸入空気量の制限が可能となる。
【００１６】
具体的には、吸入空気量の制限を直接設定すると、筒内への流入空気量は環境条件によらず一定になるが、環境条件により密度が異なるために重量は一定とはならず、高地では排気系温度が低下する。つまり、この場合には吸入空気量の制限が不要になるため、環境条件に応じて必要な領域のみに限定した吸入空気量の制限が可能となる。
【００１７】
また、前記吸入空気量制御手段は、前記内燃機関の吸気系に設けられたスロットルバルブの開度を調整して前記内燃機関の前記吸入空気量を制限するバルブ開度制御手段であることが好ましい。
【００１８】
スロットルバルブの開度を調整することで、簡易に吸入空気量を制御することが可能である。
【発明の効果】
【００１９】
本発明の内燃機関の制御装置によれば、排気状態検出手段が正常に機能しており、かつ、アルコール濃度推定に用いられる車両状態検出手段が正常に機能していない場合、即ちアルコール濃度推定を実行できず、適切なアルコール濃度を設定できない場合には、走行状態を常にフィードバック制御作動領域に設定することができる。これにより、アルコール濃度推定を実行できない状況でフィードバック制御作動領域からはずれる走行状態をドライバが要求しても、フィードバック制御に基づいて燃料噴射量を適宜設定できる。従って、アルコール濃度が推定されないことに起因して生じるエンジン本体、エンジンの排気系（特に触媒）などのダメージを抑制するという優れた効果を奏し得る。
【発明を実施するための最良の形態】
【００２０】
本発明の内燃機関の制御装置を、図１を用いて説明する。図１は、内燃機関（エンジンシステム）の構成を示す模式図である。
【００２１】
図１に示すガソリンエンジン（以下、単にエンジンという）１１は、吸気管噴射型(Multi Point Injection)のガソリンエンジンである。このエンジン１１は、シリンダヘッド１２とシリンダブロック１３とを有している。シリンダブロック１３の各シリンダ１４内には、ピストン１５が往復移動自在に収容されている。そして、このピストン１５とシリンダ１４とシリンダヘッド１２とで燃焼室１６が形成されている。ピストン１５は、コンロッド１７を介してクランクシャフト１８に接続されている。ピストン１５の往復運動は、コンロッド１７を介してクランクシャフト１８に伝達される。
【００２２】
シリンダヘッド１２には吸気ポート１９が形成されている。この吸気ポート１９には、吸気マニホールド２０が接続されている。吸気マニホールド２０には、吸気管２１が接続されている。吸気ポート１９には、吸気弁２２が設けられている。吸気ポート１９は、この吸気弁２２の開度に応じて開閉されるようになっている。さらに吸気マニホールド２０には、燃料噴射弁２３が設けられている。この燃料噴射弁２３には、燃料配管を介して燃料タンク２４から燃料が供給される。
【００２３】
吸気管２１には、パージ通路２５を介してキャニスタ２６が接続されている。これらのパージ通路２５及びキャニスタ２６は、キャニスタ２６に蓄積された蒸発燃料がパージ通路２５から吸気管２１にパージされるように構成されている。また、パージ通路２５には、パージ通路２５を通過する蒸発燃料量を調整するためのパージソレノイドバルブ２７が介装されている。
【００２４】
シリンダヘッド１２には、さらに排気ポート２８が形成されている。この排気ポート２８には排気マニホールド２９の一端が接続されている。排気マニホールド２９の他端には、排気管３０が接続されている。なお、排気ポート２８には排気弁３１が設けられている。この排気ポート２８は、吸気ポート１９における吸気弁２２と同様、排気弁３１によって開閉されるようになっている。
【００２５】
シリンダヘッド１２には、気筒毎に点火プラグ３２が取り付けられている。各点火プラグ３２には、高電圧を出力する点火コイル３３が接続されている。また、吸気マニホールド２０の上流側の吸気管２１には、吸入空気量を調整するスロットルバルブ３４が設けられている。排気マニホールド２９に接続された排気管３０には、排気浄化用触媒である三元触媒３５が介装されている。
【００２６】
ＥＣＵ（電子コントロールユニット）３６は、入出力装置、記憶装置（ＲＯＭ、ＲＡＭ等）、中央処理装置（ＣＰＵ）、タイマカウンタ等を備えている。このＥＣＵ３６は、エンジン１１を含めた制御装置１０の総合的な制御を行うものである。
【００２７】
ＥＣＵ３６の入力側には、各種センサ類が接続されている。ＥＣＵ３６には、これらセンサ類からの検出情報が入力される。このようなセンサとしては、燃料タンク２４に設けられた燃料レベルセンサ４０、スロットルバルブ３４の開度を検出するスロットルポジションセンサ（ＴＰＳ）４１、スロットルバルブ３４の上流に設けられ吸気量を計測する吸気量センサ（エアフローセンサ）４２、三元触媒３５の上流側に設けられ排気状態（酸素濃度）を検出するＯ２センサ４３、エンジン１１の冷却系に設けられた水温センサ４４、エンジン１１に設けられエンジンの回転速度を検出するためのクランク角センサ４５がある。また、アクセルペダル（図示せず）の操作開度を検出するアクセルポジションセンサ４７、車速を検出する車速センサ４８も接続されている。
【００２８】
本実施形態では、ＥＣＵ３６は、燃料が燃料タンク２４に給油された場合、これらの水温センサ４４、Ｏ２センサ４３、燃料レベルセンサ４０等の各種検出量に基づいて、アルコール濃度を推定するように構成されている。そして、ＥＣＵ３６は、このアルコール濃度に応じて排気空燃比が目標空燃比に近づくように燃料噴射量や噴射時期を設定するように構成されている。
【００２９】
ＥＣＵ３６の出力側には、上述の燃料噴射弁２３、点火コイル３３、スロットルバルブ３４等が接続されている。これらには、各種センサ類からの検出情報に基づきＥＣＵ３６で演算された燃料噴射時間、点火時期、スロットル開度等がそれぞれ出力される。
【００３０】
以下、ＥＣＵ３６での処理について、図２を用いて説明する。図２は、ＥＣＵの構成を説明するための模式的ブロック図である。
【００３１】
ＥＣＵ３６は、触媒通過前の排ガス中の酸素濃度を検出するＯ２センサ４３で検出された排気空燃比を目標空燃比に近づけるようにフィードバック制御するフィードバック制御手段５１と、各種検出情報に基づいて燃料中のアルコール濃度を推定するアルコール濃度推定手段５２と、エンジン１１の作動を制御するエンジン制御手段５３とを備えている。
【００３２】
フィードバック制御手段５１は、吸入空気量に応じて車両の走行状態がフィードバック制御を行うフィードバック制御作動領域（いわゆるクローズドループ領域）にあるかどうかを判定する。具体的には、吸入空気量としてのエアフローセンサ４２及びスロットルポジションセンサ４１の検出結果と、クランク角センサ４５及び車速センサ４８との検出結果に応じて、車両の走行状態がフィードバック制御作動領域にあるかどうかを判断する。フィードバック制御作動領域にない場合とは、例えば、エンジン１１が高回転・高負荷で運転している場合が挙げられる（いわゆるオープンループ領域）。フィードバック制御作動領域であれば、フィードバック制御手段５１はＯ２センサ４３により検出された排気空燃比と目標空燃比とのずれを算出し、このずれを基にフィードバック補正量を決定してフィードバック補正量をエンジン制御手段５３に出力している。
【００３３】
アルコール濃度推定手段５２は、給油判定手段としての燃料レベルセンサ４０及び車速センサ４８の検出情報に基づいて給油有判定情報が入力され、その後燃料配管内に残存していた給油前の燃料が噴射されているかどうかにより、アルコール濃度推定期間であるかどうかを判断する。アルコール濃度推定期間であれば、アルコール濃度推定手段５２は、フィードバック制御手段５１の作動状態及びパージバルブ開度センサ４６からのパージソレノイドバルブ２７の開度情報からパージが停止中であるかどうかを判断する。フィードバック制御中でかつパージが停止中である場合、アルコール濃度推定手段５２はアルコール濃度推定を実行する。アルコール濃度推定手段５２は、この推定された推定アルコール濃度値をエンジン制御手段５３に出力する。
【００３４】
エンジン制御手段５３は、アクセルポジションセンサ４７により検出されたアクセルペダルの踏み込み量と、クランク角センサ４５により検出されたエンジン回転速度Ｎｅと、エアフローセンサ４２によって検出されたエンジン１１の吸気流量とに基づいて、基本噴射量を設定する。そして、エンジン制御手段５３は、この基本噴射量を、エンジン制御手段５３に入力された推定アルコール濃度値及びフィードバック補正値に基づいて補正し、目標噴射量を設定する。この目標噴射量は、エンジン１１の燃料噴射弁２３によって噴射される燃料の目標量を示すものである。この目標噴射量に基づいて、燃料噴射弁２３から所望量の燃料が噴射される。
【００３５】
ところで、アルコール濃度推定手段５２に検出結果を送出する各種センサのうちいずれか一つ以上が、正常に機能していない（即ち機能欠損している）と、正確にアルコール濃度が推定できず、例えば、アルコール濃度が高い燃料が給油されたにも関わらず、低いアルコール濃度推定値に基づいて燃料噴射を行うことがある。この状態で、例えば、ドライバの要求する車両の走行状態がフィードバック制御作動領域から外れるものであると（例えばエンジンが高負荷状態になる走行が要求されると）、フィードバック制御ができない状態、即ち排気空燃比に基づいて適切な燃料噴射量を設定できない状態となる。この排気空燃比に基づいて適切な燃料噴射量を設定できない状態で、低いアルコール濃度推定値に基づいて燃料噴射を行ってしまうと、実際に必要な燃料量よりも少ない量しか噴射されず、燃料量が不足していることとなる。そして、燃料量が不足すると、燃料の気化熱によって排気系の温度を下げる効果が実現されにくくなる。その結果、エンジン１１本体、エンジン１１の排気系（特に三元触媒３５）が高温となってしまうことがある。これにより、エンジン１１本体、エンジン１１の排気系（特に三元触媒３５）などにダメージが加わるおそれがあるので、これを抑制する必要がある。
【００３６】
そこで、本実施形態のＥＣＵ３６は、エンジン１１の吸入空気量を制限する吸入空気量制御手段を備える。吸入空気量制御手段は、アルコール濃度推定手段５２に検出結果を送出する各種センサ（ただし後述するようにＯ２センサ４３は除く）のうちのいずれか一つ以上が正常に機能していない状態で、吸入空気量を車両の走行状態がフィードバック制御作動領域となるように制御することで、ドライバの要求する走行状態がフィードバック制御作動領域を超える場合であっても走行状態をフィードバック制御作動領域に限定することができる。これにより、フィードバック制御を行って排気空燃比に基づいて燃料噴射量を設定できるので、過度の温度上昇を防止できエンジン１１の排気系などのダメージを抑制できる。
【００３７】
本実施形態では、吸入空気量制御手段として、目標有効圧設定手段（有効圧力値設定手段）５４を備えている。目標有効圧設定手段５４は、吸入空気量を制御するためにエンジン１１の有効圧を設定するものである。
【００３８】
目標有効圧設定手段５４は、具体的には、車両の走行状態がフィードバック制御作動領域となるための目標有効圧ＰＩを車両の走行状態から設定するものである。車両の走行状態を検出するためには、車速や吸入空気量等を検出してもよいが、本実施形態では、クランク角センサ４５によりエンジン回転速度を検出し、このエンジン回転速度に基づいて、フィードバック制御作動領域となるように、好ましくは目標空燃比をストイキとするストイキフィードバック制御を行うストイキフィードバック制御作動領域となるように、目標有効圧ＰＩを設定する。
【００３９】
フィードバック領域の判別は、排気系（触媒）温度を基に負荷（充填効率）で行っているが、これは、負荷に対する排気系（触媒）温度は、エンジン回転速度によって異なるためである。
【００４０】
また、本実施形態のＥＣＵ３６は、Ｏ２センサ４３及びアルコール濃度推定で使用されるセンサ・アクチュエータが正常に機能しているかどうかを判断する機能状態判断手段５５を備える。ここで、アルコール濃度推定で使用されるセンサ・アクチュエータとしては、上述したように水温センサ４４、車速センサ４８及び燃料レベルセンサ４０、並びにパージバルブ開度センサ４６が挙げられる。また、フィードバック制御作動領域にあることがアルコール濃度推定実行のための条件であることから、フィードバック制御手段５１がフィードバック制御作動領域にあるかどうかを判断するために使用されるセンサ・アクチュエータもアルコール濃度推定で使用されるセンサ・アクチュエータに含まれる。これらのセンサ・アクチュエータとしては、上記したように、エアフローセンサ４２、クランク角センサ４５及びスロットルポジションセンサ４１が挙げられる。
【００４１】
なお、Ｏ２センサ４３が正常に機能していない場合については、排気空燃比を検出することができないので、吸入空気量をフィードバック制御作動領域に限定するように目標有効圧ＰＩを設定してもＥＣＵ３６は適切な燃料噴射量を設定することができない。他方で、Ｏ２センサ４３が少なくとも機能していれば、排気空燃比からフィードバック補正量を算出して、エンジン制御手段５３により燃料噴射量を設定できる。従って、目標有効圧設定手段５４は、Ｏ２センサが正常に機能しており、かつ、上記のアルコール濃度推定に用いられるセンサのうちのいずれか一つ以上が正常に機能していない場合に、フィードバック制御作動領域になるように有効圧を設定するものである。
【００４２】
また、正常に機能していない状態とは、センサが故障している状態をいい、センサが不活性となっている状態を含むものである。機能状態判断手段５５は、これらのセンサ・アクチュエータからの検出情報が入力されているかどうか、また、検出情報が示す特性が異常値ではないかどうかで正常に機能しているかどうかを判断する。
【００４３】
上記のように、目標有効圧設定手段５４は、ドライバの要求する要求有効圧値Ｐｄがフィードバック制御作動領域になかったとしても、ドライバが要求するドライバ要求有効圧ＰＩｄを目標有効圧ＰＩに限定し、その結果車両の走行状態がフィードバック制御作動領域となるようにすることを可能としている。そして、これにより車両がフィードバック制御を行って、適宜燃料噴射量を設定することができるので、エンジン本体、エンジンの排気系（特に触媒）などのダメージを抑制することができる。
【００４４】
以下、ドライバの要求する車両の走行状態がフィードバック制御作動領域にない場合における目標有効圧設定手段５４による目標有効圧の設定工程について、図３を用いて説明する。
【００４５】
制御がスタートすると、まず、ステップＳ２では、Ｏ２センサ４３が正常に機能しているかどうかを判定する。Ｏ２センサ４３が正常に機能している場合（ＹＥＳ）には、ステップＳ１で、上述したアルコール濃度推定で使用されるセンサ・アクチュエータが正常に機能しているかどうかを判定する。正常に機能している場合（ＹＥＳ）は、ステップＳ５に進み（内容は後述する）、制御が終了する。
【００４６】
ステップＳ１でセンサ・アクチュエータが正常に機能していない場合（ＮＯ）は、ステップＳ３へ進む。ステップＳ３では、エンジン回転速度Ｎｅに対する有効圧ＰＩｖ（Ｎｅ）とのマップを用いて、エンジン回転速度Ｎｅから有効圧ＰＩｖ（ｎ）を決定し、ステップＳ４へ進む。ステップＳ１では、Ｏ２センサ４３以外のアルコール濃度推定で使用されるセンサ・アクチュエータが正常に機能しているかどうかを判定している。
【００４７】
ステップＳ２で、Ｏ２センサ４３が正常に機能していない場合（ＮＯ）は、ステップＳ２１へ進む。ステップＳ２１では、エンジン回転速度Ｎｅに対する有効圧ＰＩｖａ（Ｎｅ）とのマップを用いて、エンジン回転速度Ｎｅから有効圧ＰＩｖ（ｎ）を決定し、ステップＳ４へ進む。
【００４８】
ここで、有効圧ＰＩｖａ（Ｎｅ）は、Ｏ２センサ４３が正常に機能していない場合の空気量を設定するもので、車両の運転状態がストイキフィードバック制御作動領域となる空気量、又は、同吸気量よりも少ない空気量となるように設定される有効圧である。
【００４９】
ステップＳ４では、ドライバの要求するドライバ要求有効圧ＰＩｄ（ｎ）が設定した有効圧ＰＩｖ（ｎ）よりも大きいかどうかを判定する。ここで、ドライバ要求有効圧ＰＩｄ（ｎ）は、アクセルポジションセンサ４７の踏み込み値によって設定される。
【００５０】
ドライバ要求有効圧ＰＩｄ（ｎ）が有効圧ＰＩｖ（ｎ）以下の場合（ＮＯ）には、ステップＳ５に進み、ドライバ要求有効圧ＰＩｄ（ｎ）を目標有効圧ＰＩ（ｎ）として設定する。他方で、ドライバ要求有効圧ＰＩｄ（ｎ）が有効圧ＰＩｖ（ｎ）よりも高い場合（ＹＥＳ）には、ステップＳ６に進み、有効圧ＰＩｖ（ｎ）を目標有効圧ＰＩ（ｎ）として設定する。このように、ステップＳ４〜Ｓ６により、本実施形態では、目標有効圧ＰＩ（ｎ）がドライバ要求有効圧ＰＩｄ（ｎ）を上回らないように設定する。
【００５１】
このようにして、目標有効圧ＰＩを設定することができる。設定された目標有効圧ＰＩは、エンジン制御手段５３に入力される。この場合に、有効圧が目標有効圧ＰＩに限定されていることからフィードバック制御作動領域を保持することができる。これにより、ドライバがフィードバック制御作動領域を外れるような走行状態を要求したとしても、フィードバック制御を行うことができ、適宜燃料噴射量を設定することができるため、エンジン１１本体やエンジン１１の排気系のダメージを抑制する。
【００５２】
上述した実施形態においては、エンジン１１の吸入空気量を限定的に設定する吸入空気量制御手段として機能する目標有効圧設定手段５４を備えているものであった。以下で説明するように、吸入空気量制御手段としては、吸入空気量を制限できるものであれば、例えば、スロットルバルブ３４の開度を制御して吸入空気量を制限するＥＴＶ開度制御手段でもよい。
【００５３】
ＥＴＶ開度制御手段は、センサ等が正常に機能しているかどうかを判断する機能状態判断手段を備える点は目標有効圧設定手段５４と同一である。ＥＴＶ開度制御手段は、目標有効圧に対して目標ＥＴＶ開度を設定し、この目標ＥＴＶ開度に基づいてＥＴＶの開度を調整するＥＴＶ開度調整手段を備える点が異なっている。ＥＴＶ開度調整手段は、車両の走行状態がフィードバック制御作動領域となるための目標ＥＴＶ開度ＴＰを車両の走行状態から設定するものである。車両の走行状態を検出するためには、車速や吸入空気量等を検出してもよいが、本実施形態では、クランク角センサ４５によりエンジン回転速度を検出し、このエンジン回転速度に基づいて、フィードバック制御作動領域となるように目標ＥＴＶ開度ＴＰを設定する。そして、ＥＴＶ開度調整手段は、目標ＥＴＶ開度ＴＰに基づいてスロットルバルブ３４の開度を調整する。なお、目標ＥＴＶ開度設定手段は、ドライバ要求ＥＴＶ開度ＴＰｄを超えない目標ＥＴＶ開度ＴＰを設定するように構成されている。
【００５４】
図４は、目標ＥＴＶ開度制御手段の制御工程を説明するためのフローチャートである。
【００５５】
初めに、制御がスタートすると、まず、ステップＳ１２では、Ｏ２センサ４３が正常に機能しているかどうかを判定する。Ｏ２センサ４３が正常に機能している場合（ＹＥＳ）には、ステップＳ１１で、上述したアルコール濃度推定で使用されるセンサ・アクチュエータが正常に機能しているかどうかを判定する。正常に機能している場合（ＹＥＳ）は、ステップＳ１６に進み（内容は後述する）、制御が終了する。ステップＳ１１では、Ｏ２センサ４３以外のアルコール濃度推定で使用されるセンサ・アクチュエータが正常に機能しているかどうかを判定している。
【００５６】
ステップＳ１１でセンサ・アクチュエータが正常に機能していない場合（ＮＯ）は、ステップＳ１３へ進む。
【００５７】
ステップＳ１３では、有効圧ＰＩｖ（ｎ）を設定する。具体的には、以下の式（１）より求める。
【００５８】
ＰＩｖ（ｎ）＝ＰＩｖ（Ｎｅ）×１／ＫＡＴ×７６０／ＰＡＴＭ・・・（１）
ここで、有効圧ＰＩｖ（Ｎｅ）は、エンジン回転速度Ｎｅに対する有効圧ＰＩｖ（ｎ）を示すマップを用いて、エンジン回転速度Ｎｅからを決定されたものである。また、ＫＡT、ＰＡＴＭはそれぞれ環境変数であり、ＫＡＴはエンジン１１の吸気系に設けられた吸気温センサ４９による吸気温度に応じた値、ＰＡＴＭは圧力計５０による大気圧力値に応じたである。有効圧ＰＩｖ（ｎ）を設定した後、ステップＳ１４へ進む。
【００５９】
ステップＳ１２で、Ｏ２センサ４３が正常に機能していない場合（ＮＯ）は、ステップＳ２２へ進む。ステップＳ２２では、Ｏ２センサ４３が正常に機能していない場合の有効圧ＰＩｖ（ｎ）を設定する。具体的には、以下の式（２）より求める。
【００６０】
ＰＩｖ（ｎ）＝ＰＩｖａ（Ｎｅ）×１／ＫＡT×７６０／ＰＡＴＭ・・・（２）
ここで、有効圧ＰＩｖａ（Ｎｅ）は、Ｏ２センサ４３が正常に機能していない場合のエンジン回転速度Ｎｅに対する有効圧ＰＩｖａ（Ｎｅ）を示すマップを用いて、エンジン回転速度Ｎｅから決定されたものである。
【００６１】
有効圧ＰＩｖａ（Ｎｅ）は、Ｏ２センサ４３が正常に機能していない場合の空気量を設定するもので、車両の運転状態がストイキフィードバック制御作動領域となる空気量、又は、同吸気量よりも少ない空気量となるように設定される有効圧である。
【００６２】
また、ＫＡＴ、ＰＡＴＭはそれぞれ環境変数であり、ＫＡＴはエンジン１１の吸気系に設けられた吸気温センサ４９による吸気温度に応じた値、ＰＡＴＭは圧力計５０による大気圧力値に応じたである。有効圧ＰＩｖ（ｎ）を設定した後、ステップＳ１４へ進む。
【００６３】
ステップＳ１４では、得られた有効圧ＰＩｖ（ｎ）及びエンジン回転速度Ｎｅに対するＥＴＶ開度ＴＰを示すマップから、ＥＴＶ開度ＴＰｖ（ｎ）を決定する。ステップＳ１５へ進む。
【００６４】
ステップＳ１５では、ドライバの要求するドライバ要求開度ＴＰｄ（ｎ）が設定したＥＴＶ開度ＴＰｖ（ｎ）よりも大きいかどうかを判定する。ここで、ドライバ要求開度ＴＰｄ（ｎ）は、アクセルポジションセンサ４７の踏み込み値を元にして踏み込み値に対するＥＴＶ開度を示すマップから設定される。
【００６５】
ここで、ＥＴＶ開度ＴＰ＝f（エンジン回転速度、有効圧）で設定しており、この特性はある条件（例えば標準状態）で成立する。このため、環境条件が変化した場合には、環境条件に応じて新気重量（＝エンジン出力）を一定にする修正が必要となる。
【００６６】
ドライバ要求開度ＴＰｄ（ｎ）がＥＴＶ開度ＴＰｖ（ｎ）以下の場合（ＮＯ）には、ステップＳ１６に進み、ドライバ要求開度ＴＰｄ（ｎ）を目標ＥＴＶ開度ＴＰ（ｎ）として設定する。他方でドライバ要求開度ＴＰｄ（ｎ）がＥＴＶ開度ＴＰｖ（ｎ）よりも高い場合（ＹＥＳ）には、ステップＳ１７に進み、ＥＴＶ開度ＴＰｖ（ｎ）を目標ＥＴＶ開度ＴＰ（ｎ）として設定する。その後、設定された目標ＥＴＶ開度ＴＰ（ｎ）に基づいて、電気制御式スロットルバルブ３４の開度を調整する。このようにして、吸気量を制御して車両の走行状態をフィードバック制御作動領域に限定する。これにより、エンジン１１及びその排気系のダメージを防止することが可能である。
【００６７】
なお、上述した各実施形態においては、排気状態検出手段としてＯ２センサを用いたが、ＬＡＦＳ（リニア空燃比センサ）を用いてもよい。また、本実施形態において、アルコール濃度推定に用いられる各種センサ・アクチュエータを列挙したが、これ以外にもアルコール濃度推定に用いられる各種センサ・アクチュエータがあればそれを含むものである。
【産業上の利用可能性】
【００６８】
本発明の内燃機関の制御装置によれば、内燃機関の排気系へのダメージを抑制するという優れた効果を奏し得る。従って、例えば自動車製造産業において利用可能である。
【図面の簡単な説明】
【００６９】
【図１】本実施形態のエンジンシステムの構成を示す模式図である。
【図２】本実施形態のＥＣＵの構成を示す模式図である。
【図３】本実施形態の目標有効圧設定工程について説明するフローチャートである。
【図４】本実施形態の目標ＥＴＶ開度制御手段の制御工程について説明するフローチャートである。
【符号の説明】
【００７０】
１０   制御装置
１１   エンジン
２５   パージ通路
２６   キャニスタ
２７   パージソレノイドバルブ
３４   スロットルバルブ
４０   燃料レベルセンサ
４１   スロットルポジションセンサ
４２   エアフローセンサ
４３   Ｏ２センサ
４４   水温センサ
４５   クランク角センサ
４６   パージバルブ開度センサ
４７   アクセルポジションセンサ
４８   車速センサ
４９   吸気温センサ
５１   フィードバック制御手段
５２   アルコール濃度推定手段
５３   エンジン制御手段
５４   目標有効圧設定手段
５５   機能状態判断手段
【図１】
2010133396.tif 000003
【図２】
2010133396.tif 000004
【図３】
2010133396.tif 000005
【図４】
2010133396.tif 000006